(57)【要約】  本発明は、温度ヒューズに用いられる作動装置（１）に関する。本発明によれば、アクチュエータ（１１）が設けられており、該アクチュエータ（１１）が、限界温度で作動するために形成されており、伝導性のブリッジエレメント（６）が設けられており、該ブリッジエレメント（６）が、専ら可溶性の結合エレメント（１０）を介して複数の接続箇所（９）に固定されていて、接続されており、これによって、電流が案内されるようになっており、結合エレメント（１０）が、限界温度への到達時にまたは限界温度の上回り時にブリッジエレメント（６）を完全に解離するようになっており、これによって、該ブリッジエレメント（６）が、アクチュエータ（１１）の作動時に結合エレメント（１０）から解離されるようになっており、これによって、電流の案内が遮断されるようになっている。
2010522419.tif 000002
【特許請求の範囲】
【請求項１】
温度ヒューズに用いられる作動装置（１）において、
−アクチュエータ（１１）が設けられており、該アクチュエータ（１１）が、限界温度で作動するために形成されており、
−伝導性のブリッジエレメント（６）が設けられており、該ブリッジエレメント（６）が、接続領域（８）で、溶融可能な結合エレメント（１０）を介して接続箇所（９）に固定されていて、接続されており、これによって、電流が案内されるようになっており、
結合エレメント（１０）が、限界温度への到達時にまたは限界温度の上回り時に溶融するために形成されており、これによって、ブリッジエレメント（６）が、アクチュエータ（１１）の作動時に結合エレメント（１０）から解離されるようになっており、これによって、電流の案内が遮断されるようになっていることを特徴とする、温度ヒューズに用いられる作動装置。
【請求項２】
アクチュエータ（１１）が、プランジャ（１９）を有しており、これによって、作動時にブリッジエレメント（６）の接続領域が、接続箇所（９）から持ち上げられるようになっている、請求項１記載の作動装置。
【請求項３】
アクチュエータ（１１）が、溶融体（２１）を有しており、該溶融体（２１）が、プランジャ（１９）を、作動させられていない位置に保持しており、溶融体（２１）の材料が、限界温度への到達時に溶融し、これによって、アクチュエータ（１１）を作動させるように選択されており、プランジャ（１９）が、所定の力、特にばね力によって運動させられるようになっており、これによって、ブリッジエレメント（６）が、プランジャ（１９）によって接続箇所（９）から完全に持ち上げられるようになっている、請求項２記載の作動装置。
【請求項４】
アクチュエータ（１１）が、互いに絶縁された２つの溶融体（２１）を有しており、両溶融体（２１）が、リングセグメントとしてプランジャ（１９）を取り囲んで配置されている、請求項３記載の作動装置。
【請求項５】
アクチュエータ（１１）が、電気的に絶縁性の材料から成る環状の溶融体（２１）を有しており、該溶融体（２１）が、リングとしてプランジャ（１９）を取り囲んで配置されている、請求項３記載の作動装置。
【請求項６】
伝導性のブリッジエレメント（６）が、複数の接続領域（８）で、相応の溶融可能な結合エレメント（１０）を介して相応の接続箇所（９）に固定されていて、接続されており、ブリッジエレメント（６）が、アクチュエータ（１１）の作動時に接続領域（８）を接続箇所（９）から完全に解離されるようになっており、これによって、電流の案内が遮断されるようになっている、請求項１から５までのいずれか１項記載の作動装置。
【請求項７】
プランジャ（１９）が、ブリッジエレメント（６）に設けられた保持開口（１４）に係合しており、これによって、ブリッジエレメント（６）が、接続箇所（９）からの持上り時に位置決めされるようになっている、請求項６記載の作動装置。
【請求項８】
アクチュエータ（１１）が、作動時に当接プレート（１５）に向かって運動させられるために形成されており、これによって、作動させられた状態でブリッジエレメント（６）が、プランジャ（１９）と当接プレート（１５）との間に保持されている、請求項６または７記載の作動装置。
【請求項９】
伝導性のブリッジエレメント（６）が、旋回可能に別の接続箇所に配置されており、アクチュエータ（１１）が、ブリッジエレメント（６）に配置されており、これによって、該ブリッジエレメント（６）の接続領域（８）が、アクチュエータ（１１）の作動時に接続箇所から、てこ作用に基づき作動時のアクチュエータ（１１）のプランジャ（１９）のストロークよりも大きい距離だけ持ち上げられるようになっている、請求項２から５までのいずれか１項記載の作動装置。
【請求項１０】
ブリッジエレメント（９）の接続領域（８）が、ブリッジエレメント（６）から折り曲げられていて、コンタクトウェブ（４）に設けられた開口を通して案内されている、請求項１から９までのいずれか１項記載の作動装置。
【請求項１１】
請求項１から９までのいずれか１項記載の作動装置（１）を備えた温度ヒューズにおいて、ブリッジエレメント（６）が、コンタクト形成装置、特に打抜き格子体（２）またはプリント配線板に接続されていることを特徴とする、作動装置を備えた温度ヒューズ。
【発明の詳細な説明】
【技術分野】
【０００１】
本発明は、高電流機器に使用するための温度ヒューズに用いられる作動装置に関する。
【０００２】
さらに、本発明は、作動装置を備えた温度ヒューズに関する。
【０００３】
電気的なモジュールを過熱に対して防護するためには、不可逆的な温度ヒューズが必要になる。この温度ヒューズは、周辺温度が過度に高い場合に電流案内導体を遮断する（作動）。この場合、温度ヒューズは、恐らく生ぜしめられる電流流れに基づき作動温度が達成されないように設計されており、これによって、温度ヒューズを高い電流ではなく、専ら過度に高い周辺温度に基づき作動させることができることが保証されている。すなわち、温度ヒューズは、たとえば外的作用による構成エレメントの故障、短絡、絶縁材料の誤機能およびこれに類するものに基づきモジュール内の温度が許容できないほど高い場合に電流流れを確実に遮断する電気的なモジュールに対する独立した切断路を提供するために働く。
【０００４】
慣用の温度ヒューズは、たいてい、位置固定されたばね（たとえばろう付けされた板ばね）のコンセプトに基づいている。このばねの場合には、所定の温度作用時に位置固定が（たとえば溶融によって）解離される。これによって、温度ヒューズがばね力によって開かれる。しかし、この場合、通常運転、すなわち、温度ヒューズの閉じられた状態でも、機械的な力が結合箇所に加えられる。このことは、特に自動車分野において運転時間が長い場合に品質問題、たとえばろう付け箇所の破壊に繋がり得る。
【０００５】
本発明の課題は、作動が、ヒューズに流れる過度に高い電流ではなく、専ら周辺温度に基づき行われることが確保されていて、さらに、この場合、温度ヒューズの、はんだ結合部を介して接続された伝導性のエレメントが、より長い寿命を保証するために、はんだ結合部に作用する機械的な応力に永続的にさらされていないことが保証されている温度ヒューズを提供することである。
【０００６】
この課題を解決するために本発明の作動装置では、アクチュエータが設けられており、該アクチュエータが、限界温度で作動するために形成されており、伝導性のブリッジエレメントが設けられており、該ブリッジエレメントが、接続領域で、溶融可能な結合エレメントを介して接続箇所に固定されていて、接続されており、これによって、電流が案内されるようになっており、結合エレメントが、限界温度への到達時にまたは限界温度の上回り時に溶融するために形成されており、これによって、ブリッジエレメントが、アクチュエータの作動時に結合エレメントから解離されるようになっており、これによって、電流の案内が遮断されるようになっているようにした。
【０００７】
本発明の作動装置の有利な実施態様によれば、アクチュエータが、プランジャを有しており、これによって、作動時にブリッジエレメントの接続領域が、接続箇所から持ち上げられるようになっている。
【０００８】
本発明の作動装置の有利な実施態様によれば、アクチュエータが、溶融体を有しており、該溶融体が、プランジャを、作動させられていない位置に保持しており、溶融体の材料が、限界温度への到達時に溶融し、これによって、アクチュエータを作動させるように選択されており、プランジャが、所定の力、特にばね力によって運動させられるようになっており、これによって、ブリッジエレメントが、プランジャによって接続箇所から完全に持ち上げられるようになっている。
【０００９】
本発明の作動装置の有利な実施態様によれば、アクチュエータが、互いに絶縁された２つの溶融体を有しており、両溶融体が、リングセグメントとしてプランジャを取り囲んで配置されている。
【００１０】
本発明の作動装置の有利な実施態様によれば、アクチュエータが、電気的に絶縁性の材料から成る環状の溶融体を有しており、該溶融体が、リングとしてプランジャを取り囲んで配置されている。
【００１１】
本発明の作動装置の有利な実施態様によれば、伝導性のブリッジエレメントが、複数の接続領域で、相応の溶融可能な結合エレメントを介して相応の接続箇所に固定されていて、接続されており、ブリッジエレメントが、アクチュエータの作動時に接続領域を接続箇所から完全に解離されるようになっており、これによって、電流の案内が遮断されるようになっている。
【００１２】
本発明の作動装置の有利な実施態様によれば、プランジャが、ブリッジエレメントに設けられた保持開口に係合しており、これによって、ブリッジエレメントが、接続箇所からの持上り時に位置決めされるようになっている。
【００１３】
本発明の作動装置の有利な実施態様によれば、アクチュエータが、作動時に当接プレートに向かって運動させられるために形成されており、これによって、作動させられた状態でブリッジエレメントが、プランジャと当接プレートとの間に保持されている。
【００１４】
本発明の作動装置の有利な実施態様によれば、伝導性のブリッジエレメントが、旋回可能に別の接続箇所に配置されており、アクチュエータが、ブリッジエレメントに配置されており、これによって、該ブリッジエレメントの接続領域が、アクチュエータの作動時に接続箇所から、てこ作用に基づき作動時のアクチュエータのプランジャのストロークよりも大きい距離だけ持ち上げられるようになっている。
【００１５】
本発明の作動装置の有利な実施態様によれば、ブリッジエレメントの接続領域が、ブリッジエレメントから折り曲げられていて、コンタクトウェブに設けられた開口を通して案内されている。
【００１６】
さらに、前記課題を解決するための本発明の温度ヒューズでは、ブリッジエレメントが、コンタクト形成装置、特に打抜き格子体またはプリント配線板に接続されているようにした。
【００１７】
第１の態様によれば、温度ヒューズに用いられる作動装置が提案されている。この作動装置は、アクチュエータと、伝導性のブリッジエレメントとを有している。アクチュエータは、限界温度で作動するために形成されている。伝導性のブリッジエレメントは、接続領域で、溶融可能な結合エレメントを介して接続箇所に固定されていて、接続されており、これによって、電流が案内される。結合エレメントは、限界温度への到達時にまたは限界温度の上回り時に溶融するために形成されており、これによって、ブリッジエレメントが、アクチュエータの作動時に結合エレメントから解離され、これによって、電流の案内が遮断される。
【００１８】
本発明による作動装置によって、この作動装置の周辺における所定の限界温度の上回り時の確実な作動が可能となる。作動時の導体の遮断は、この導体が１つまたはそれ以上の箇所でブリッジエレメントの持上りによって切り離されることによって行われる。この場合、作動は、特に確実に確保することができる。
【００１９】
さらに、アクチュエータは、可動のプランジャを有していてよく、これによって、作動時にブリッジエレメントの接続領域が接続箇所から持ち上げられる。
【００２０】
別の実施態様によれば、アクチュエータが溶融体を有していてよい。この溶融体はプランジャを、作動させられていない位置に保持している。この場合、溶融体の材料は、限界温度への到達時に溶融し、これによって、アクチュエータを作動させるように選択されている。この場合、プランジャが、所定の力、特にばね力によって運動させられ、これによって、ブリッジエレメントがプランジャによって接続箇所から完全に持ち上げられる。
【００２１】
さらに、アクチュエータは、互いに絶縁された２つの溶融体を有していてよい。両溶融体は、リングセグメントとしてプランジャを取り囲んで配置されている。択一的には、アクチュエータが、電気的に絶縁性の材料から成る環状の溶融体を有していてよい。この溶融体は、リングとしてプランジャを取り囲んで配置されている。
【００２２】
１つの実施態様によれば、伝導性のブリッジエレメントが、複数の接続領域で、相応の溶融可能な結合エレメントを介して相応の接続箇所に固定されていて、接続されていてよい。この場合、ブリッジエレメントがその接続領域でアクチュエータの作動時に接続箇所から完全に解離され、これによって、電流の案内が遮断される。
【００２３】
プランジャは、ブリッジエレメントに設けられた保持開口に係合していてよく、これによって、ブリッジエレメントが接続箇所からの持上り時に位置決めされる。
【００２４】
さらに、アクチュエータは、作動時に当接プレートに向かって運動させられるために形成されていてよく、これによって、作動させられた状態でブリッジエレメントがプランジャと当接プレートとの間に保持されている。
【００２５】
さらに、伝導性のブリッジエレメントは、旋回可能に別の接続箇所に配置されていてよい。この場合、アクチュエータがブリッジエレメントに配置されており、これによって、ブリッジエレメントの接続領域が、アクチュエータの作動時に接続箇所から、てこ作用に基づき作動時のアクチュエータのプランジャのストロークよりも大きい距離だけ持ち上げられる。これによって、接続領域が接続箇所から持ち上げられる距離を増加させることが可能となる。このことは、結合を確実に分離することができるという利点を有している。なぜならば、はんだがフラックス不含の場合に事情により糸を引くからである。この糸はストロークの増加時に裂断する。
【００２６】
さらに、ブリッジエレメントの接続領域がブリッジエレメントから折り曲げられていてよく、コンタクトウェブに設けられた開口を通して案内されていてよい。
【００２７】
コンタクトエレメントは、有利には伝導性の材料、特に溶融可能な金属または金属合金から形成されている。
【００２８】
別の態様によれば、温度ヒューズが提案されている。この温度ヒューズは上記作動装置を有している。この場合、ブリッジエレメントはコンタクト形成装置、特に打抜き格子体またはプリント配線板に接続されている。
【図面の簡単な説明】
【００２９】
【図１】本発明の第１の実施形態による作動ユニットの横断面図である。
【図２】図１の作動装置の平面図である。
【図３】図１の実施形態に使用されるアクチュエータの斜視図である。
【図４】作動させられていない状態における本発明の別の実施態様による作動ユニットの横断面図である。
【図５】作動させられた状態における図４の実施形態による作動ユニットの横断面図である。
【００３０】
本発明の有利な実施形態を以下に添付の図面につき詳しく説明する。
【００３１】
図１には、本発明による作動装置が示してある。この作動装置１は、伝導性の材料から成る打抜き格子体２に取り付けられている。この打抜き格子体２は、非伝導性のプラスチック材料から成る被覆体３によって取り囲まれている。打抜き格子体２の代わりに、プリント配線板が設けられていてもよし、その他のコンタクト形成装置が設けられていてもよい。
【００３２】
作動装置１の領域では、打抜き格子体２の被覆体３が除去されており、これによって、打抜き格子体２が露出している。作動装置の領域には、打抜き格子体２の露出部分が２つのコンタクトウェブ４を有している。両コンタクトウェブ４は切欠き５内に突入している。両コンタクトウェブ４に伝導接続されたブリッジエレメント６によって、電流接続部が形成される。この電流接続部を介して、打抜き格子体２に接続された電気的なモジュールが運転される。
【００３３】
ブリッジエレメント６は、互いに反対の側に位置する２つの端部に、折り曲げられた接続区分８を有している。この接続区分８は、打抜き格子体２のコンタクトウェブ４に設けられた各開口９を貫通していて、この箇所ではんだ結合部１０によって打抜き格子体２に結合されている。はんだ結合部１０は、ブリッジエレメント６と打抜き格子体２の各コンタクトウェブ４との伝導コンタクトを成している。はんだ結合部１０の代わりに、たとえば、作動の温度に等しい溶融温度または作動の温度よりも小さい溶融温度を備えた金属または金属合金から成る別の伝導結合部が設けられていてもよい。
【００３４】
コンタクトウェブ４とブリッジエレメント６との間の択一的なコンタクト形成部は、このコンタクト形成部によって、はんだ結合部１０の溶融後のコンタクトウェブ４からのブリッジエレメント６の簡単な解離が可能となる限り可能である。したがって、コンタクトウェブ４に開口が設けられる必要なしに、一方または両方の接続区分が、コンタクトウェブ４に設けられた相応の接続箇所に載着されていてもよい。
【００３５】
コンタクトウェブ４の端部の間には、打抜き格子体２に設けられた空所１２が位置している。この空所１２をアクチュエータ１１のプランジャ１９が貫通していて、打抜き格子体２の主面に対して垂直な方向に可動となる。アクチュエータ１１は、一般的に、作動装置１の周辺温度が、規定された閾温度を上回った場合に作動するように形成されている。この場合、プランジャ１９が打抜き格子体２の主面に対して垂直に運動させられる。
【００３６】
プランジャ１９は、円錐形に成形された係合エレメント１３を有している。この係合エレメント１３は、ブリッジエレメント６の保持開口１４を通って突出していて、そこに接触している。アクチュエータ１１の作動時には、プランジャ１９がブリッジエレメント６の主区分に対して垂直に運動させられる。この場合、係合エレメント１３がブリッジエレメント６を打抜き格子体２から持ち上げ、これによって、コンタクトウェブ４の間の電気的な接続部が遮断される。打抜き格子体２のコンタクトウェブ４からのブリッジエレメント６の持上りを容易にするために、はんだ結合部１０のはんだ材料は、作動装置１の作動が行われるべき限界温度で溶融するかもしくはすでに溶融されているように選択されている。これにより、ブリッジエレメント６を簡単にプランジャ１９によって打抜き格子体２から持ち上げることができる。択一的または付加的には、ブリッジエレメント６に目標分離箇所（図示せず）が設けられていてよい。この目標分離箇所では、アクチュエータ１１が作動した場合に、ブリッジエレメント６がプランジャ１９の力によって切り離される。
【００３７】
溶融後に打抜き格子体２のコンタクトウェブ４に緩くしか載置していないブリッジエレメント６が、作動事例において、打抜き格子体２から解離されず、事情により短絡を生ぜしめ得る範囲に達しないようにするためには、ブリッジエレメント６を確保する保持装置が設けられている。図示の実施例では、ブリッジエレメント６が係合エレメント１３に緩く載置している。アクチュエータ１１が作動させられると、打抜き格子体２から解離されたブリッジエレメント６がプランジャ１９によって打抜き格子体２から離れる方向に運動させられる。アクチュエータ１１のプランジャ１９が作動時に運動させられる方向には、打抜き格子体２に向かい合って当接プレート１５が位置している。この当接プレート１５は、打抜き格子体２に対してほぼ平行に延びている。当接プレート１５に向かって、係合エレメント１３が運動させられ、事情により、ブリッジエレメント６が係合エレメント１３との係合から解除されることなしに押圧される。この場合、作動させられた状態では、係合エレメント１３の一方の端部が当接プレート１５に接触していて、ブリッジエレメント６の保持開口１４を貫通しており、これによって、ブリッジエレメント６が当接プレート１５に確実に保持されている。
【００３８】
アクチュエータ１１は、上述したように、規定された周辺温度で作動させるために形成されている。図示の例では、アクチュエータ１１がプランジャ１９を有している。このプランジャ１９は、アクチュエータハウジング１６の、プランジャ１９の運動方向の方向に向けられた切欠き１７内にガイドされる。この切欠き１７の底部と、プランジャ１９の、ガイドハウジング１６に近い方の端部の切欠き２０との間には、ばねエレメント１８が配置されている。このばねエレメント１８はスリーブ２６を備えている。作動させられていない状態では、ばねエレメント１８にプリロードがかけられており、これによって、プランジャ１９とアクチュエータハウジング１６との間に所定の力が作用している。作動させられていない状態では、プランジャ１９が溶融体２１によってばね力に抗して位置保持される。溶融体２１は、プランジャ１９の当接縁部２２と、打抜き格子体２のコンタクトウェブ４の各端部に設けられた当接領域２５との間に配置されている。
【００３９】
プランジャ１９は溶融体２１の領域で縮径されており、これによって、プランジャ１９が、打抜き格子体２の、コンタクトウェブ４の間に形成された開口を通って運動することができる。溶融体２１は、容易に溶融する材料、たとえばはんだまたはろうから形成されている。この材料は、作動事例において溶融し、溶融された状態でコンタクトウェブ４の各端部とアクチュエータ１１のプランジャ１９との間の中間室２６を通って外部に流出することができる。この場合、プランジャ１９の当接縁部２２とコンタクトウェブ４の当接領域２５との間の機械的な抵抗が解除され、プランジャ１９が当接プレート１５の方向に運動させられる。
【００４０】
プランジャ１９は、有利には非伝導性の材料、たとえばプラスチックまたはセラミックスから製造されており、これによって、作動後にコンタクトウェブ４の間の伝導接続部が形成されない。さらに、これによって、プランジャ１９がばねエレメントによる短絡を阻止している。
【００４１】
前述した実施例ではコイルばねとして形成されたばねエレメント１８の代わりに、板ばねが設けられていてもよいし、その他の手段、たとえば圧縮空気が設けられていてもよい。この手段は永続的な力をプランジャ１９に溶融体２１の方向でかつブリッジエレメント６の方向で加える。
【００４２】
溶融体２１の材料は、有利には、閾温度を下回る温度で塑性変形が生ぜしめられないように選択されている。このことは、特に金属もしくは金属合金の使用時に当てはまる。しかし、この場合、作動事例において、溶融体２１の溶融された材料が、ブリッジエレメント６の代わりに、コンタクトウェブ４の間のコンタクトを提供することに注意しなければならない。
【００４３】
図示の実施形態に示した２つの溶融体２１はリングセグメント状であり、互いに接触しておらず、これによって、溶融体２１を介して、偶然の電気的な接続は提供され得ない。このためには、図３に見ることができるように、プランジャ１９がその周方向に沿って当接縁部２２を有している。この当接縁部２２は完全に全周にわたって延びておらず、プランジャ１９の非伝導性の材料によって互いに分離されている。はんだ材料の代わりに、非伝導性の材料、たとえばろうが溶融体２１として使用される場合には、当接縁部２２のこのような分割が不要となり、溶融体２１を環状のエレメントとしてプランジャの相応の区分を取り囲んで設けることもできる。これによって、このような装置の組付けが容易となる。
【００４４】
図４および図５には、本発明の別の実施形態による作動ユニットが示してある。同じ符号は、同じ機能または比較可能な機能のエレメントに相当している。
【００４５】
図４および図５の実施形態は図１および図２の実施形態と異なり、ブリッジエレメント６が一方の端部で旋回可能に位置決めされていて、作動時にも位置決めされ続け、これによって、ブリッジエレメントが、このように形成された旋回軸を中心として運動させられる。さらに、図４および図５の実施形態は図１および図２の実施形態と異なり、ブリッジエレメント６が保持開口なしに設けられている。旋回軸を形成するためには、当接プレート１５の代わりに、当接エレメント３０が設けられている。この当接エレメント３０はブリッジエレメント６の一方の端部をコンタクトウェブ４の開口９内に位置決めしており、これによって、この一方の端部がプランジャ１９の運動時に開口９から引き出され得ない。作動事例では、確かに、結合エレメント１０が液化されるものの、相応の接続領域８が開口９から引き出されることを当接エレメント３０が阻止している。
【００４６】
これによって、当接エレメント３０がブリッジエレメント６の旋回軸を規定している。この旋回軸を中心として、ブリッジエレメント６は、アクチュエータ１１が作動した場合に旋回させられる（図５参照）。作動時には、プランジャ１９がブリッジエレメント６を押圧し、これによって、このブリッジエレメント６が旋回軸を中心として旋回させられる。この場合、位置決めされた接続領域８と反対の側に位置する接続領域８が、相応のコンタクトウェブ４に設けられた開口９から引き出され、プランジャ１９のストロークに相俟って、規定された距離だけずらされる。プランジャ１９はブリッジエレメント６に両接続領域の間で作用し、これによって、てこ作用に基づき、接続領域８が相応の開口９から引き出される距離が、プランジャ１９がアクチュエータ１１の作動時に進むストロークよりも大きく設定されている。プランジャ１９が、たとえばブリッジエレメント６の真ん中に作用する場合には、接続領域が相応の開口から、プランジャ１９のストローク長さの二倍にほぼ相当する距離だけずらされる。こうして、接続領域８と結合エレメント１０もしくはコンタクトウェブ４とが大きな間隔を置いて互いに分離されることによって、ブリッジエレメント６により形成された通電接続部を確実に遮断することができる。このことは、特に結合箇所１０の溶融されたはんだが、切離し時に糸を引く可能性が存在する場合に有利である。この糸は、接続領域８と結合エレメント１０との間の十分に大きな間隔で初めて裂断する。これによって、接続領域８と結合エレメント１０とを互いに確実に分離することができ、これによって、ブリッジエレメント６に流れる電流の遮断が達成される。
【００４７】
コンタクトウェブ４に設けられた相応の開口９に関して作動時のプランジャ１９の運動方向に配置された当接エレメント３０の代わりに、第１の接続領域８が拡幅によってコンタクトウェブ４の、アクチュエータ１１に面した側でコンタクトウェブ４に位置決めされていてもよい。この位置決めによって、アクチュエータ１１の作動時に接続領域８が相応の開口９から引き出され得ず、これによって、ブリッジエレメント６の旋回軸がコンタクトウェブ４の相応の開口９に規定される。
【符号の説明】
【００４８】
１  作動装置
２  打抜き格子体
３  被覆体
４  コンタクトウェブ
５  切欠き
６  ブリッジエレメント
８  接続区分
９  開口
１０  はんだ結合部
１１  アクチュエータ
１２  空所
１３  係合エレメント
１４  保持開口
１５  当接プレート
１６  アクチュエータハウジング
１７  切欠き
１８  ばねエレメント
１９  プランジャ
２０  切欠き
２１  溶融体
２２  当接縁部
２５  当接領域
２６  スリーブまたは中間室
３０  当接エレメント
【図１】
2010522419.tif 000003
【図２】
2010522419.tif 000004
【図３】
2010522419.tif 000005
【図４】
2010522419.tif 000006
【図５】
2010522419.tif 000007
【国際調査報告】
2010522419.tif 000008
2010522419.tif 000009
2010522419.tif 000010
2010522419.tif 000011